(57)【特許請求の範囲】
【請求項１】
ブロー成形によって成形された自立の脚を有する熱可塑性樹脂容器であって、Ａ．その底部は、略半球状の底部外形をとると共に、底部自体に放射状に設けられた複数個の中空の脚部を有し、Ｂ．各脚部の先端は、前記の略半球状の底部外形の中心に向かって放射状に位置決めされた足部となっており、Ｃ．隣り合う脚部同士は、放射状に拡がる谷部によりおのおの隔てられており、Ｄ．各谷部の壁の厚みは隣接する脚部側壁の厚みよりも厚い、自立型熱可塑性樹脂容器において、各脚部の底壁面が容器の内方に向かって凸状の曲面であって、該曲面の半径Ｒ１  と容器胴部の直径ＤがＲ１  ／Ｄ＝０．６０〜０．９０の関係を満たすことを特徴とする、保管中のクラックの発生を防止した自立型熱可塑性樹脂容器。
【請求項２】
各谷部の拡がり角度が６°〜１２°である、請求項１に記載された保管中のクラックの発生を防止した自立型熱可塑性樹脂容器。
【請求項３】
脚部の接地部の軸線方向断面が容器の外下方に凸状の曲面であって該曲面の半径Ｒ２  と容器の胴部の直径ＤとがＲ２  ／Ｄ＝０．０４〜０．１５の関係を満たす、請求項１または２に記載された保管中のクラックの発生を防止した自立型熱可塑性樹脂容器。
【請求項４】
谷部の曲面の半径Ｒ３  と容器の胴部の直径ＤとがＲ３  ／Ｄ＝０．４５〜０．６５の関係を満たす、請求項１ないし３のいずれかに記載された保管中のクラックの発生を防止した自立型熱可塑性樹脂容器。
【請求項５】
脚部の接地部が水平方向に外側に凸状の曲面であり、該曲面の半径Ｒ４  と容器の胴部の直径ＤとがＲ４  ／Ｄ＝０．１５〜０．３０の関係を満たす、請求項１ないし４のいずれか１項に記載された保管中のクラックの発生を防止した自立型熱可塑性樹脂容器。
【請求項６】
底中央部分が平坦状である、請求項１ないし５のいずれか１項に記載された保管中のクラックの発生を防止した自立型熱可塑性樹脂容器。
【請求項７】
脚部の底壁面から胴部に容器の軸線に沿って複数本の溝を配設した、請求項１ないし６のいずれか１項に記載された保管中のクラックの発生を防止した自立型熱可塑性樹脂容器。
【発明の詳細な説明】
【０００１】
【発明の属する技術分野】
本発明は炭酸ガス入り飲料、エアゾール等の加圧内容物の保管中に底部にクラックが発生するのを防止した自立型の熱可塑性樹脂容器に関する。
【０００２】
【従来の技術】
熱可塑性樹脂で成形した脚部を有する自立型容器は、例えば特公昭５９−４０６９３号公報、特開平７−２６７２３５号公報、特許第２５９９７７６号公報等に示されている。
これらの自立型容器は主としてＰＥＴ樹脂で成形したプリフォームを二軸延伸ブロー成形して製造される。容器胴部は充分に延伸され、配向結晶するので強度的にも問題はないが底部は延伸が難しいので問題がある。
【０００３】
【発明が解決しようとする課題】
脚部を形成した自立型容器は保管中に底部にクラックが発生する。このクラックの発生は底部の中央部付近は延伸が充分にできないため内圧によりストレスクラッキングを発生すると考えられる。また底部は耐圧性と自立性を付与するために脚を形成し、脚部は谷部により分割され、完全な半球殻状にならないため強度が均一でないので、加圧内容物を充填して保管するとクラックが発生すると考えられる。
【０００４】
【課題を解決するための手段】
本発明は、
「１．  ブロー成形によって成形された自立の脚を有する熱可塑性樹脂容器であって、Ａ．その底部は、略半球状の底部外形をとると共に、底部自体に放射状に設けられた複数個の中空の脚部を有し、Ｂ．各脚部の先端は、前記の略半球状の底部外形の中心に向かって放射状に位置決めされた足部となっており、Ｃ．隣り合う脚部同士は、放射状に拡がる谷部によりおのおの隔てられており、Ｄ．各谷部の壁の厚みは隣接する脚部側壁の厚みよりも厚い、自立型熱可塑性樹脂容器において、各脚部の底壁面が容器の内方に向かって凸状の曲面であって、該曲面の半径Ｒ１  と容器胴部の直径ＤがＲ１  ／Ｄ＝０．６０〜０．９０の関係を満たすことを特徴とする、保管中のクラックの発生を防止した自立型熱可塑性樹脂容器。
２．  各谷部の拡がり角度が６°〜１２°である、１項に記載された保管中のクラックの発生を防止した自立型熱可塑性樹脂容器。
３．  脚部の接地部の軸線方向断面が容器の外下方に凸状の曲面であって該曲面の半径Ｒ２  と容器の胴部の直径ＤとがＲ２  ／Ｄ＝０．０４〜０．１５の関係を満たす、１項または２項に記載された保管中のクラックの発生を防止した自立型熱可塑性樹脂容器。
４．  谷部の曲面の半径Ｒ３  と容器の胴部の直径ＤとがＲ３  ／Ｄ＝０．４５〜０．６５の関係を満たす、１項ないし３項のいずれかに記載された保管中のクラックの発生を防止した自立型熱可塑性樹脂容器。
５．  脚部の接地部が水平方向に外側に凸状の曲面であり、該曲面の半径Ｒ４  と容器の胴部の直径ＤとがＲ４  ／Ｄ＝０．１５〜０．３０の関係を満たす、１項ないし４項のいずれか１項に記載された保管中のクラックの発生を防止した自立型熱可塑性樹脂容器。
６．  底中央部分が平坦状である、１項ないし５項のいずれか１項に記載された保管中のクラックの発生を防止した自立型熱可塑性樹脂容器。
７．  脚部の底壁面から胴部に容器の軸線に沿って複数本の溝を配設した、１項ないし６項のいずれか１項に記載された保管中のクラックの発生を防止した自立型熱可塑性樹脂容器。」
に関する。
【０００５】
【発明の実施の形態】
本発明の自立型熱可塑性樹脂容器１は図１に示されるように底部２には複数の脚部３が形成され、各脚部は谷部４により分離されている。
図２に示すように脚部の底壁部分５が容器の内方に向かって凸状の曲面となっているのは、加圧内容物の保管中の内圧により底部の中央部分が外方に膨出するのを防止し、その結果膨出部分の変形点に生じやすいクラックの発生を防止するためであり、また該曲面の半径Ｒ１と容器胴部の直径ＤがＲ１／Ｄ＝０．６０〜０．９０の関係にあると、上記脚部の賦形性を向上し、底部の中央部分の膨出を防止し、底部におけるクラック発生を防止する効果を奏するので好ましい。
【０００６】
また、図２に示すように脚部の接地部の軸線方向断面が容器の外下方に凸状の曲面であると、脚部の接地部近傍に生じやすいしわの発生を防止するという効果が奏されるが、この曲面の半径Ｒ２と容器の胴部の直径ＤとがＲ２／Ｄ＝０．０４〜０．１５の関係にあると、上記しわの発生が有効に防止されるで好ましい。図２に示すように谷部の曲面の半径Ｒ３と容器の胴部の直径ＤとがＲ３／Ｄ＝０．４５〜０．６５の関係を満たすと、耐衝撃性に優れ、クラックの発生を防止する作用が奏されるので好ましい。
【０００７】
図３に示すように脚部を分割する各谷部の拡がり角度θが６〜１５°、好ましくは６〜１２°の範囲にあると、底部の中央部分近傍へのクラックの発生が有効に防止され、成形時の脚部の賦形性が良好で自立安定性に優れているという効果を奏する。６°未満では底部中央部分近傍にクラックが発生し易くかつ破損し易くなり、１５°を超えると成形時の脚部の賦形性不良が生じ自立安定性が悪くなるので好ましくない。
図３に示すように脚部の接地部が水平方向に外側に凸状の曲面であると脚部の接地部近傍に生じやすいしわの発生を防止するという効果が奏され、さらにこの曲面の半径Ｒ４と容器の胴部の直径ＤとがＲ４／Ｄ＝０．１５〜０．３０の関係を満たすと、上記しわの発生を防止する効果が奏されるので好ましい。
【０００８】
このように、容器の底部の脚部及び谷部の構造を特別な構造とすると底部の中央部分が平坦であっても該中央部分が外方に突出することがない。
また、内容物を充填すると保管中に谷底面が内圧により膨張し、脚部側壁が加圧されると脚部の高さ方向にしわが発生するが、図４に示すように脚部の底壁部分から胴部に、容器の軸線に沿って１本ないし複数本の溝を配設するとこの溝６が補強ピードとして作用し、しわの発生を防止し、さらにしわを吸収する効果が奏されるので好ましい。
本発明の容器を形成する合成樹脂としては、ＰＥＴ、ポリエチレンナフタレート（ＰＥＮ）等のポリエステル、その共重合体、他の樹脂との樹脂組成物等が良好に用いられる。また、ガスバリヤー性、耐熱性等を付与するために他の熱可塑性樹脂と積層して用いることもできる。
【０００９】
【実施例】
次に実施例を示して具体的に説明する。
実施例１
ＰＥＴを用いて二軸延伸ブロー成形した図１に示される５本脚部を有する容器であって、図２に示される底部と脚部と谷部の形状を有する容器である。図２及び図３に示される脚部の底壁の曲面の半径Ｒ１、脚部の接地部の軸線方向切断面の曲面の半径Ｒ２と谷部の曲面の半径Ｒ３と脚部の接地部の水平方向のＲ４と胴部の直径Ｄが次の関係を満たす容器である。
Ｒ１＝６７、Ｒ２＝９、Ｒ３＝４６、Ｒ４＝２０、、Ｄ＝９４
Ｒ１／Ｄ＝０．７１、Ｒ２／Ｄ＝０．１０、Ｒ３／Ｄ＝０．４９、Ｒ４／Ｄ＝０．２１
各谷部の拡がり角度は９°である。
【００１０】
実施例２
実施例１において、Ｒ１〜Ｒ４を次のようにした以外は実施例１と同様にした容器である。
Ｒ１＝７５、Ｒ２＝６、Ｒ３＝４６、Ｒ４＝１７、Ｄ＝９４
Ｒ１／Ｄ＝０．８０、Ｒ２／Ｄ＝０．０６、Ｒ３／Ｄ＝０．４９、Ｒ４／Ｄ＝０．１８
各谷部の拡がり角度は１２°である。
【００１１】
比較例１
実施例１において、Ｒ１〜Ｒ４を次のようにした以外は実施例１と同様にした容器である。
Ｒ１＝平坦面、Ｒ２＝４、Ｒ３＝３０、Ｒ４＝２８、Ｄ＝９４、
Ｒ２／Ｄ＝０．０４、Ｒ３／Ｄ＝０．３２、Ｒ４／Ｄ＝０．３０
この比較例１の脚部の底壁部分は平坦であって、容器内方に凸状となっていないためＲ１／Ｄの値は求められない。
各谷部の拡がり角度は２０°である。
【００１２】
比較例２
実施例１において、Ｒ１〜Ｒ４を次のようにした以外は実施例１と同様にした容器である。大部分は平面で接着部の外に凸状の曲面と接する部分に内方に凸の曲面を設け、底中央部付近は曲面、
Ｒ１＝平坦面と曲面の組み合わせ、Ｒ２＝１５、Ｒ３＝３２、Ｒ４＝２８、Ｄ＝９４、
Ｒ２／Ｄ＝０．１６、Ｒ３／Ｄ＝０．３４、Ｒ４／Ｄ＝０．３０
この比較例２の脚部の底壁面の中間部は平坦状であって、容器内方に凸状となっていないためＲ１／Ｄの値は求められない。
各谷部の拡がり角度は２０°である。
【００１３】
比較例３
実施例１において、Ｒ１〜Ｒ４を次のようにした以外は実施例１と同様にした容器である。
Ｒ１＝平坦面と曲線の組み合わせ、Ｒ２＝４、Ｒ３＝複数の曲面の組み合わせ、Ｒ４＝８、Ｄ＝９４
Ｒ２／Ｄ＝０．０４、Ｒ４／Ｄ＝０．０９
この比較例３の脚部の底壁部分の中間部は平面と曲面の組み合わせであり、谷部は複数の曲面の組み合わせになっているため、Ｒ１／Ｄ及びＲ３／Ｄの値は求められない。
各谷部の拡がり角度は２０°である。
【００１４】
比較試験
実施例及び比較例のボトルを各１０本づつ温度４０℃、湿度９０％ＲＨで１２時間加湿した後、炭酸水を充填し３０℃の温水でボトル内の充填液を２０〜２２℃に調温し、２０〜２２℃の０．２％ＮａＯＨ水溶液に６０分間浸漬して液漏れの発生したボトルの数を調べ、その結果を表１に示す。
【００１５】
【表１】
0003651321.tif 000002
【００１６】
このように本発明の容器は液漏れを生じない。
【００１７】
【発明の効果】
本発明は、耐圧性、自立安定性に優れ、加圧内容物の保存中に底部のクラックの発生することもなく、また脚部にしわが発生するのを防止することができる優れた効果を奏する。
【図面の簡単な説明】
【図１】本発明の容器の側面図である。
【図２】図１の容器の底部の一部拡大断面図である。
【図３】図１の底面の説明図である。
【図４】本発明の他の実施例の脚部の拡大図である。
【符号の説明】
１  容器
２  底部
３  脚部
４  谷部
５  脚部の底壁部分
６  溝
θ  谷部の拡がり角度
Ｄ  胴部の直径
Ｒ１  脚部底壁部の曲面の半径
Ｒ２  脚部接地部の縦断面の曲面の半径
Ｒ３  谷部曲面の半径
Ｒ４  脚部接地部の水平方向曲面の半径
【図１】
0003651321.tif 000003
【図２】
0003651321.tif 000004
【図３】
0003651321.tif 000005
【図４】
0003651321.tif 000006